(57)【特許請求の範囲】
【請求項１】
複数の装置のケースに形成された取付部に嵌め込むことが可能なハウジングと、前記ハウジングの一方の面から先端側の端子部が突出し、前記ハウジングの他方の面から後端側の接続部が突出するように該ハウジングに組みつけられた接続端子と、を備えるコネクタの前記接続端子の接続部に接続部材を電気的に導通接続させる導通接続方法であって、
前記接続端子の接続部を前記接続部材と接続するに当たり、該接続部を前記接続部材に半田付けする半田接続方法、該接続部を溶融加熱して前記接続部材に接続する溶融加熱接続方法、及び、該接続部に設けた屈曲する係合片で前記接続部材との係合を行う係合接続方法が選択可能であり、
前記接続部材に、前記接続端子の接続部との導通接続が可能な取付部を形成し、
前記接続端子の接続部と前記接続部材の取付部とを、前記半田接続方法、前記溶融加熱接続方法、または、前記係合接続方法のいずれかの接続方法で導通接続させる、
ことを特徴とする接続端子と接続部材間の導通接続方法。
【請求項２】
請求項１に記載の導通接続方法であって、前記接続部材がフレキシブルプリント基板であるとき、前記接続方法として前記半田接続方法、溶融加熱接続方法または係合接続方法のいずれかを用いることを特徴とする接続端子と接続部材間の導通接続方法。
【請求項３】
請求項１に記載の導通接続方法であって、前記接続部材がバネ端子であるとき、前記接続方法として前記半田接続方法、溶融加熱接続方法または係合接続方法のいずれかを用いることを特徴とする接続端子と接続部材間の導通接続方法。
【発明の詳細な説明】
【技術分野】
【０００１】
本発明は、複数の接続端子が設けられたコネクタにおける接続端子と接続部材間の導通接続方法に関する。
【背景技術】
【０００２】
従来より、絶縁基板に設けられた導電路の両端部にコンタクト端子を備え、絶縁基板の導電路側の面にスペーサを介してカバープレートを被せた構造のＰＣＢアッセンブリを備えたコネクタが知られている（例えば、特許文献１参照）。
また、装置のケースに複数本の棒状の雄端子を固定してコネクタを構成する技術も開示されている（例えば、特許文献２，３参照）。
【先行技術文献】
【特許文献】
【０００３】
【特許文献１】特開２００６−１０８１１５号公報
【特許文献２】特開２００５−３２２５３２号公報
【特許文献３】特開２００９−９９４１１号公報
【発明の概要】
【発明が解決しようとする課題】
【０００４】
ところで、特許文献１のコネクタは、コンタクト端子へ接続させる接続部材の形態が変わると、その接続部材の形態に合わせたコンタクト部としなければならず、そのためには、絶縁基板に取り付けられているスペーサ及びカバープレートを、接続部材の形態に適用したものに交換する必要がある。また、外部に突出した複数のコンタクト部を収容して保護するためのコネクタハウジングを要するので、大型化を招いてしまう。
【０００５】
また、特許文献２，３では、装置のケース自体に雄端子を設けているため、装置のケースの形状が変更になると、コネクタ部分もケースに合わせて変更しなければならず、コストアップを招いてしまう。
【０００６】
本発明は、上述した事情に鑑みてなされたものであり、その目的は、コストアップを招くことなく、各種の接続部材との接続が可能なコネクタにおける接続端子と接続部材間の導通接続方法を提供することにある。
【課題を解決するための手段】
【０００７】
前述した目的を達成するために、本発明に係る接続端子と接続部材間の導通接続方法は
、下記（１）から（３）のいずれかを特徴としている。
（１）  複数の装置のケースに形成された取付部に嵌め込むことが可能なハウジングと、前記ハウジングの一方の面から先端側の端子部が突出し、前記ハウジングの他方の面から後端側の接続部が突出するように該ハウジングに組みつけられた接続端子と、を備えるコネクタの前記接続端子の接続部に接続部材を電気的に導通接続させる導通接続方法であって、
前記接続端子の接続部を前記接続部材と接続するに当たり、該接続部を前記接続部材に半田付けする半田接続方法、該接続部を溶融加熱して前記接続部材に接続する溶融加熱接続方法、及び、該接続部に設けた屈曲する係合片で前記接続部材との係合を行う係合接続方法が選択可能であり、
前記接続部材に、前記接続端子の接続部との導通接続が可能な取付部を形成し、
前記接続端子の接続部と前記接続部材の取付部とを、前記半田接続方法、前記溶融加熱接続方法、または、前記係合接続方法のいずれかの接続方法で導通接続させる、
こと。
（２）  （１）に記載の導通接続方法であって、前記接続部材がフレキシブルプリント基板であるとき、前記接続方法として前記半田接続方法、溶融加熱接続方法または係合接続方法のいずれかを用いること。
（３）  （１）に記載の導通接続方法であって、前記接続部材がバネ端子であるとき、前記接続方法として前記半田接続方法、溶融加熱接続方法または係合接続方法のいずれかを用いること。
【０００８】
上記（１）の構成の接続端子と接続部材間の導通接続方法では、接続端子の一端がハウジングから突出された接続部に対して、それぞれの接続端子に対応した複数の取付孔を有する接続部材あるいは接続端子が挿通可能な取付孔を有する複数の接続部材のいずれもが接続可能であるので、接続部材の形態が異なる毎に接続部の構造を変更する必要がなくなる。また、装置のケースに取り付け可能なハウジングが装置のケースとは別体であるので、ケースの形状が異なる毎に金型を起こしてハウジングを成型する必要がなくなる。これにより、構造及び形状の変更に伴うコストアップをなくしつつ、様々な要求に対応することができる。また、コネクタの全体を覆うコネクタハウジングなどもなく、よって、全体の小型化も図ることができる。
上記（２）の構成の接続端子と接続部材間の導通接続方法では、半田付け、溶着または係合接続によって接続端子の端部へ接続部材であるフレキシブルプリント基板を容易に導通接続させることができる。
上記（３）の構成の接続端子と接続部材間の導通接続方法では、溶着や半田付けによって接続端子の端部へ接続部材であるバネ端子を容易に導通接続させることができる。また、接続端子の端部を屈曲させることによって接続端子の端部へ接続部材を容易に係合させて導通接続させることもできる。
【発明の効果】
【０００９】
本発明によれば、コストアップを招くことなく、各種の接続部材との接続が可能なコネクタにおける接続端子と接続部材間の導通接続方法を提供できる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態に係るコネクタの平面図である。
【図２】本発明の実施形態に係るコネクタの断面図である。
【図３】コネクタを構成する接続端子の側面図である。
【図４】ＦＰＣを接続した状態のコネクタの断面図である。
【図５】ＦＰＣを接続した状態のコネクタを示す図であって、（ａ）は側面図、（ｂ）は裏面図である。
【図６】コネクタに接続されるＦＰＣの斜視図である。
【図７】バネ端子を接続した状態のコネクタの断面図である。
【図８】バネ端子を接続した状態のコネクタを示す図であって、（ａ）は側面図、（ｂ）は裏面図である。
【図９】コネクタに接続されるバネ端子を示す図であって、（ａ）は斜視図、（ｂ）は側面図である。
【図１０】バネ端子を接続した状態のコネクタの断面図である。
【図１１】バネ端子を接続した状態のコネクタを示す図であって、（ａ）は側面図、（ｂ）は裏面図である。
【図１２】コネクタに接続されるバネ端子の斜視図である。
【図１３】コネクタを構成する他の構造の接続端子を示す図であって、（ａ）は係合片を屈曲させる前の側面図、（ｂ）は係合片を屈曲させた後の側面図である。
【図１４】コネクタにＦＰＣを接続した状態のコネクタの断面図である。
【図１５】コネクタにバネ端子を接続した状態のコネクタの断面図である。
【発明を実施するための形態】
【００１２】
以下、本発明に係る実施の形態の例を、図面を参照して説明する。
【００１３】
図１は本発明の実施形態に係るコネクタの平面図、図２は本発明の実施形態に係るコネクタの断面図である。
【００１４】
図１及び図２に示すように、コネクタ１１は、樹脂から形成された平面視矩形状のハウジング１２を有している。このハウジング１２には、上面側における中央部分に、平面視円形の凹部１３が形成されており、この凹部１３の底部１３ａに、複数本（本例では６本）の接続端子１４が立設されている。
【００１５】
このコネクタ１１は、各種の装置のケースに形成された取付部にハウジング１２を嵌め込むことにより、装置のケースに取り付けられる。
【００１６】
図３に示すように、これらの接続端子１４は、棒状に形成されたもので、先端側が端子部１４ａとされ、後端側が接続端１４ｂとされている。先端側の端子部１４ａが、ハウジング１２の上面側から上方へ突出されており、後端側の接続端１４ｂがハウジング１２の下面側から下方へ突出されている。
【００１７】
また、この接続端子１４は、後端近傍に、固着部１４ｃが形成されており、この固着部１４ｃが、ハウジング１２へ一体的に固着されている。この固着部１４ｃは、表面に複数の突起を有するもので、これら突起がハウジング１２の樹脂に食い込み、固着部１４ｃがハウジング１２に固着されることにより、接続端子１４がハウジング１２に固定される。
【００１８】
ハウジング１２は、樹脂を射出成型することにより形成されたもので、接続端子１４は、インサート成型によってハウジング１２に固着される。
【００１９】
上記のコネクタ１１は、雄型のコネクタであり、その接続端子１４の端子部１４ａに、雌型レセプタクル（図示略）が導通接続可能とされている。また、このコネクタ１１は、接続端子１４の接続端１４ｂが突出された下面側が接続部１１ａとされており、この接続部１１ａには、各種の接続部材が接続可能とされている。また、このコネクタ１１の接続部１１ａへ接続部材を接続する方法としては、各種の接続方法が適用可能である。
【００２０】
次に、コネクタ１１の接続部１１ａへ接続部材を取り付ける場合について、接続方法毎に説明する。
【００２１】
（１）半田付け接続
接続部１１ａの接続端１４ｂへの半田付けによる接続方法を、ＦＰＣ（Flexible Printed Circuits：フレキシブルプリント基板）からなる接続部材を接続する場合を例にとって説明する。
【００２２】
図４及び図５に示すものは、コネクタ１１の接続部１１ａの接続端１４ｂに、接続部材としてＦＰＣ２１を接続したものである。
【００２３】
図６に示すように、ＦＰＣ２１は、長尺のフレキシブルプリント基板からなるもので、一端側が固定部２２とされ、他端側が端子部２３とされている。
【００２４】
固定部２２には、コネクタ１１の各接続端子１４に対応する位置に、複数のスルーホール（取付孔）２２ａが形成されており、これらスルーホール２２ａに各接続端子１４の接続端１４ｂが挿入されるようになっている。端子部２３には、複数の端子２３ａが設けられている。ＦＰＣ２１には、導電路（図示略）が形成されており、固定部２２の各スルーホール２２ａが導電路を介して端子部２３の端子２３ａと導通されている。
【００２５】
そして、このＦＰＣ２１をコネクタ１１の接続部１１ａの接続端１４ｂに接続するには、ＦＰＣ２１の固定部２２のスルーホール２２ａに接続端子１４の接続端１４ｂを挿通させながら、ＦＰＣ２１の固定部２２をコネクタ１１の接続部１１ａに配置して半田付けする。
【００２６】
このようにすると、コネクタ１１の接続部１１ａの接続端１４ｂにＦＰＣ２１の固定部２２を容易に接続することができる。
【００２７】
（２）溶着接続
接続部１１ａの接続端１４ｂへの溶着による接続方法を、バネ端子からなる接続部材を接続する場合を例にとって説明する。
【００２８】
図７及び図８に示すものは、コネクタ１１の接続部１１ａの接続端１４ｂに、接続部材としてバネ端子３１を接続したものである。
【００２９】
図９に示すように、バネ端子３１は、バネ鋼を折り曲げることにより形成されたもので、固定片部３２と作用片部３３とを有している。
【００３０】
固定片部３２には、コネクタ１１の接続部１１ａの接続端１４ｂが挿通可能な取付孔３２ａが形成されている。また、作用片部３３には、外方へ突出する突起部３３ａが形成されている。
【００３１】
そして、複数のバネ端子３１をコネクタ１１のそれぞれの接続部１１ａの接続端１４ｂに接続するには、それぞれのバネ端子３１の固定片部３２の取付孔３２ａにそれぞれの接続端子１４の接続端１４ｂを挿通させながら、バネ端子３１の固定片部３２をコネクタ１１の接続部１１ａに配置し、接続端子１４の接続端１４ｂを加熱して溶融させる。これにより、バネ端子３１は、接続端子１４の接続端１４ｂに溶着接続される。
【００３２】
このようにして、バネ端子３１が接続されたコネクタ１１によれば、コネクタ１１のそれぞれのバネ端子３１に接触ピン（図示略）を押し付けることにより、バネ端子３１の作用片部３３の突起部３３ａを接触ピンに接触させて良好に導通させることが可能となる。
【００３３】
なお、接続端子１４の接続端１４ｂに接続する端子としては、上記のバネ端子３１に限らず、様々な形状及び構造のものが適用可能である。
【００３４】
図１０及び図１１に示すものは、バネ端子３１と異なる形状及び構造のバネ端子４１を、接続部材としてコネクタ１１の接続部１１ａの接続端１４ｂに接続したものである。
【００３５】
図１２に示すように、バネ端子４１は、バネ鋼を折り曲げることにより形成されたもので、一端側に固定片部４２が形成され、他端側に接続端部４３が形成されている。
【００３６】
固定片部４２には、コネクタ１１の接続部１１ａの接続端１４ｂが挿通可能な取付孔４２ａが形成されている。また、接続端部４３は、一対の挟持片４３ａを有しており、これら挟持片４３ａの間に、接続ピン（図示略）を挿入すると、これら挟持片４３ａによって接続ピンが挟持されて互いに導通されるようになっている。
【００３７】
そして、複数のバネ端子４１をコネクタ１１の接続部１１ａのそれぞれの接続端１４ｂに接続するには、それぞれのバネ端子４１の固定片部４２の取付孔４２ａにそれぞれの接続端子１４の接続端１４ｂを挿通させながら、バネ端子４１の固定片部４２をコネクタ１１の接続部１１ａに配置し、接続端子１４の接続端１４ｂを加熱して溶融させる。これにより、バネ端子４１は、接続端子１４の接続端１４ｂに溶着接続される。
【００３８】
（３）係合接続
接続部１１ａの接続端１４ｂを係合させて接続する接続方法を説明する。
【００３９】
係合接続を行う場合、接続端子１４として、図１３に示すものを用いる。図１３（ａ）に示すように、この接続端子１４は、接続端１４ｂが、周方向へ複数の係合片１４ｄに分割されている。したがって、この接続端子１４では、接続端１４ｂのそれぞれの係合片１４ｄが、図１３（ｂ）に示すように、屈曲可能とされている。そして、これら接続端１４ｂの係合片１４ｄを屈曲させて外側へ広げることにより、係合片１４ｄによって接続部材を係合して導通接続することができる。
【００４０】
図１４に示すものは、ＦＰＣ２１を係合接続したものである。図１４に示すように、ＦＰＣ２１をコネクタ１１の接続部１１ａの接続端１４ｂに接続するには、ＦＰＣ２１の固定部２２のスルーホール２２ａに接続端子１４の接続端１４ｂを挿通させ、その後、接続端１４ｂの係合片１４ｄを屈曲させて外側へ広げる。
【００４１】
このようにすると、ＦＰＣ２１の固定部２２がコネクタ１１の接続部１１ａの接続端１４ｂの広げられた係合片１４ｄによって係合されて導通接続される。
【００４２】
図１５に示すものは、バネ端子３１を係合接続したものである。図１５に示すように、バネ端子３１をコネクタ１１の接続部１１ａの接続端１４ｂに接続するには、バネ端子３１の固定片部３２の取付孔３２ａに接続端子１４の接続端１４ｂを挿通させ、その後、接続端１４ｂの係合片１４ｄを屈曲させて外側へ広げる。
【００４３】
このようにすると、バネ端子３１の固定片部３２がコネクタ１１の接続部１１ａの接続端１４ｂの広げられた係合片１４ｄによって係合されて導通接続される。
【００４４】
また、バネ端子４１を係合接続する場合も、バネ端子３１と同様に、バネ端子４１の固定片部４２の取付孔４２ａに接続端子１４の接続端１４ｂを挿通させ、その後、接続端１４ｂの係合片１４ｄを屈曲させて外側へ広げる。
【００４５】
このようにすると、バネ端子４１の固定片部４２がコネクタ１１の接続部１１ａの接続端１４ｂの広げられた係合片１４ｄによって係合されて導通接続される。
【００４６】
このように、係合片１４ｄを有する接続端子１４に変更することにより、ハウジング１２の形状を変更することなく、容易に係合接続が可能なコネクタ１１とすることができる。なお、係合片１４ｄを有する接続端子１４を備えたコネクタ１１においても、半田付け接続及び溶着接続することも可能である。
【００４７】
なお、上記実施形態において、ＦＰＣ２１は、半田付け接続及び係合接続に限らず、溶着接続によってコネクタ１１の接続部１１ａに接続することができ、また、バネ端子３１，４１は、溶着接続及び係合接続に限らず、半田付け接続によってコネクタ１１の接続部１１ａに接続することができる。
【００４８】
また、コネクタ１１の接続部１１ａの接続端１４ｂに一括接続される接続部材としては、ＦＰＣ２１だけでなく、複数本の導線をフラットに配列させて被覆したＦＦＣ（Flexible Flat Cable：フレキシブルフラットケーブル）を用いることも可能である。
【００４９】
以上、説明したように、上記実施形態に係るコネクタにおける接続端子と接続部材間の導通接続方法では、接続端子１４の接続端１４ｂがハウジング１２から突出された接続部１１ａに対して、それぞれの接続端子１４に対応した複数の取付孔２２ａを有するＦＰＣ２１あるいは接続端子１４の接続端１４ｂが挿通可能な取付孔３２ａ，４２ａを有する複数のバネ端子３１，４１のいずれであっても接続することができる。つまり、コネクタ１１へ接続する接続部材の形態が異なる毎にコネクタ１１の接続部１１ａの構造を変更する必要がなくされる。また、装置のケースに取り付け可能なハウジング１２が装置のケースとは別体であるので、ケースの形状が異なる毎に金型を起こしてハウジング１２を成型する必要がなくなる。これにより、構造及び形状の変更に伴うコストアップをなくしつつ、様々な要求に対応することができる。また、コネクタ１１の全体を覆うコネクタハウジングなどもなく、よって、全体の小型化も図ることができる。
【００５０】
また、半田付けあるいは溶着によって接続端子１４の接続端１４ｂへＦＰＣ２１やバネ端子３１，４１を容易に導通接続させることができる。また、接続端子１４の接続端１４ｂの係合片１４ｄを屈曲させることによって接続端子１４の端部へＦＰＣ２１やバネ端子３１，４１を容易に係合させて導通接続させることができる。
【００５１】
なお、本発明は、上述した実施形態に限定されるものではなく、適宜、変形、改良等が可能である。その他、上述した実施形態における各構成要素の材質、形状、寸法、数値、形態、数、配置箇所等は本発明を達成できるものであれば任意であり、限定されない。
【符号の説明】
【００５２】
１１  コネクタ
１１ａ  接続部
１２  ハウジング
１４  接続端子
１４ｂ  接続端（一端）
２１  ＦＰＣ（接続部材）
２２ａ  スルーホール（取付孔）
３２ａ，４２ａ  取付孔
３１，４１  バネ端子（接続部材）
【図１】
0006023397.tif 000002
【図２】
0006023397.tif 000003
【図３】
0006023397.tif 000004
【図４】
0006023397.tif 000005
【図５】
0006023397.tif 000006
【図６】
0006023397.tif 000007
【図７】
0006023397.tif 000008
【図８】
0006023397.tif 000009
【図９】
0006023397.tif 000010
【図１０】
0006023397.tif 000011
【図１１】
0006023397.tif 000012
【図１２】
0006023397.tif 000013
【図１３】
0006023397.tif 000014
【図１４】
0006023397.tif 000015
【図１５】
0006023397.tif 000016